(57)【要約】      （修正有）【課題】割り箸の取り出し時に爪楊枝の飛び出しや落下を防止し、更に紙製箸袋の開封破片部の散乱を防止し、爪楊枝の更なる有効利用を可能とする爪楊枝入り割り箸の紙製箸袋による新しい梱包構造を提供する。【解決手段】爪楊枝入り割り箸の紙製箸袋による梱包時に、割り箸と爪楊枝の位置を指定し、爪楊枝の把持部の一部を箸袋の一部に接着固定する。この梱包構造により、紙製箸袋の開封時に開封破片部が紙製箸袋本体と一部つながった状態となる。更に、この紙製箸袋の開封部を指定し、開封破片部にデザインを印刷することによって爪楊枝付きのフラッグとしての使用も可能である。【選択図】図１
0003160882.tif 000002
【実用新案登録請求の範囲】
【請求項１】
紙製箸袋より割り箸を取り出す際に同梱された爪楊枝が飛び出すことを防止し、開封破片部や爪楊枝のゴミとしての散乱を減らし、楽しい食事を演出するアイテムとしても爪楊枝を有効利用できる爪楊枝入り割り箸の紙製箸袋による新しい梱包方法。
【考案の詳細な説明】
【技術分野】
【０００１】
本考案は、爪楊枝入り割り箸の紙製箸袋への割り箸並びに爪楊枝の梱包方法に関するものである。
【背景技術】
【０００２】
紙製箸袋に梱包された爪楊枝入り割り箸は弁当類に添付される一般的なものであるが、その梱包方法は袋の中に割り箸と爪楊枝を固定せずに梱包したものである。又、爪楊枝を必要としない人にとっては爪楊枝は入っていても利用されないことが事がほとんどであり、野外等で使用された場合には箸袋の開封部と爪楊枝はゴミとして散乱することが多い。
【０００３】
現在の一般的な梱包方法では、箸袋を開封し割り箸を取り出した際に爪楊枝が飛び出し、落下して不潔になるか行方不明になって使用できなくなることが多い。更に落下したことに気づかない場合は、爪楊枝が入っていなかったと思いこみ不良品として販売者にクレームをつける場合や、身体を傷つけて被害を被ったと訴えることも考えられる。
【先行技術文献】
【特許文献】
【０００４】
【特許文献１】なし
【非特許文献】
【０００５】
【非特許文献１】なし
【考案の概要】
【考案が解決しようとする課題】
【０００６】
このように現在の梱包方法では箸袋の開封時に爪楊枝の所在を確認し慎重に割り箸を取り出す必要があり、また幼児等の使用の際には本来必要としない爪楊枝に対して更に注意を払わなければならない現状があった。そこで解決しようとする問題点は、紙製箸袋の開封時に爪楊枝の位置が容易に確認できない点、次に割り箸を取り出す際に容易に爪楊枝が箸袋から飛び出してしまう点、また幼児等の爪楊枝を必要としない場合には爪楊枝が有効利用されない点である。
【課題を解決するための手段】
【０００７】
本考案は、爪楊枝の箸袋への梱包方法として爪楊枝を箸袋の開封部に一部固定することに主要な特徴がある。
【考案の効果】
【０００８】
本考案の梱包方法では、紙製箸袋の開封部に爪楊枝が一部固定されていることにより爪楊枝の位置が容易に確認でき、箸袋の開封時にはその開封破片部が割り箸収納本体部と一部つながった状態となる。このため開封後に割り箸を取り出す際も容易に爪楊枝が落下しない為、食後の使用時まで爪楊枝は箸袋の中に清潔な状態で保管される。またこの機能により開封破片部が野外等に安易にゴミとして散乱することをも防止できる。次に爪楊枝使用時には箸袋の収納本体部との一部接続部を破断して使用するが、爪楊枝の把持部と箸袋の開封破片部が接着しているため爪楊枝の取り出しが容易であり、把持がしっかりとできるのでその使用も容易となる。更に爪楊枝使用後には開封破片部を爪楊枝接着部に巻きつける等の処理により一体として箸袋の割り箸収納本体部に収納廃棄できる。このほかに幼児等の使用の際には、開封破片部に国旗やキャラクターデザイン等をあらかじめ印刷しておくことにより、爪楊枝が楽しい食事を演出するためのアイテムとしても有効利用でき、この際、開封部を注意深く開封することによる指先の機能向上や開封部の位置の目印としての動機づけにもなると考えられる。
【図面の簡単な説明】
【０００９】
【図１】図１は紙製箸袋に割り箸と爪楊枝を梱包する前の平面図である。
【図２】図２は紙製箸袋の梱包後の平面図である。
【考案を実施するための形態】
【００１０】
図１で、２は割り箸の梱包位置であり、３は爪楊枝の梱包位置、４は紙製箸袋本体、５は紙製箸袋本体の梱包時接着面である。２の割り箸はその把持部先端が紙製箸袋の開封部に一致する位置に固定されずに封入され、３の爪楊枝は把持部の先端部約１センチが接着剤で紙製箸袋の開封部と梱包時拙宅面の間に固定されていることを示している。図２は、この状態から３の爪楊枝の梱包位置から延長線上にある箸袋のヤマ折部で箸袋を折り返し、紙製箸袋本体の梱包時拙宅面を接着剤で接着し梱包した後の平面図である。図２で、６は開封指定部であり、７は開封後に爪楊枝に固定される紙製箸袋の開封破片部となる部分であり国旗等のデザインが印刷されている。
【産業上の利用可能性】
【００１１】
爪楊枝が気づかないうちに箸袋から落下したり、落下したことに気づいていても行方不明になることが少なくなるため、不良品としてのクレームや身体を傷つける可能性が減少しメーカーや販売店の負担を軽減できる。また、開封破片部や爪楊枝のゴミとしての散乱を少なくできる効果が期待でき、キャラクターアイテムとしての有効利用も可能となる。
【符号の説明】
【００１２】
２    割り箸の梱包位置
３    爪楊枝の梱包位置
４    紙製箸袋本体
５    紙製箸袋の梱包時接着面
６    開封指定部
７    開封破片部
【図１】
0003160882.tif 000003
【図２】
0003160882.tif 000004
【手続補正書】
【提出日】平成22年1月29日(2010.1.29)
【手続補正１】
【補正対象書類名】明細書
【補正対象項目名】００１０
【補正方法】変更
【補正の内容】
【００１０】
図１で、２は割り箸の梱包位置であり、３は爪楊枝の梱包位置、４は紙製箸袋本体、５は紙製箸袋本体の梱包時接着面である。２の割り箸はその把持部先端が紙製箸袋の開封部に一致する位置に固定されずに封入され、３の爪楊枝は把持部の先端部約１センチが接着剤で紙製箸袋の開封部と梱包時接着面の間に固定されていることを示している。図２は、この状態から３の爪楊枝の梱包位置から延長線上にある箸袋のヤマ折部で箸袋を折り返し、紙製箸袋本体の梱包時接着面を接着剤で接着し梱包した後の平面図である。図２で、６は開封指定部であり、７は開封後に爪楊枝に固定される紙製箸袋の開封破片部となる部分であり国旗等のデザインが印刷されている。
【手続補正書】
【提出日】平成22年1月30日(2010.1.30)
【手続補正１】
【補正対象書類名】明細書
【補正対象項目名】０００１
【補正方法】変更
【補正の内容】
【０００１】
本考案は、爪楊枝入り割り箸の紙製箸袋への割り箸並びに爪楊枝の梱包構造に関するものである。
【手続補正書】
【提出日】平成22年1月30日(2010.1.30)
【手続補正１】
【補正対象書類名】明細書
【補正対象項目名】０００７
【補正方法】変更
【補正の内容】
【０００７】
本考案は、爪楊枝の箸袋への梱包構造として爪楊枝を箸袋の配布うぶに一部固定することに主要な特徴がある。
【手続補正書】
【提出日】平成22年1月30日(2010.1.30)
【手続補正１】
【補正対象書類名】実用新案登録請求の範囲
【補正対象項目名】請求項１
【補正方法】変更
【補正の内容】
【請求項１】
紙製箸袋より割り箸を取り出す際に同梱された爪楊枝が飛び出すことを防止し、開封破片部や爪楊枝のゴミとしての散乱を減らし、楽しい食事を演出するアイテムとしても爪楊枝を有効利用できる爪楊枝入り割り箸の紙製箸袋による梱包構造。
【手続補正書】
【提出日】平成22年5月3日(2010.5.3)
【手続補正１】
【補正対象書類名】実用新案登録請求の範囲
【補正対象項目名】全文
【補正方法】変更
【補正の内容】
【実用新案登録請求の範囲】
【請求項１】
爪楊枝把持部の先端部約１センチが接着剤により紙製箸袋本体の梱包時ヤマ折部に一致して固定され、同部の接着限界部に一致して紙製箸袋の開封部を指定し、開封時の開封破片部表面にデザインを施した爪楊枝入り割り箸の紙製箸袋による梱包構造